(57)【要約】【課題】  スマッジ耐性等、画像耐久性の改善された画像、並びにそれを形成するための方法及びシステムを提供する。【解決手段】  耐久性のあるインクジェット画像を印刷するためのシステムは、帯電した定着剤成分を含む定着剤組成物を収容する第１印刷ヘッドを含み、当該第１印刷ヘッドは基材上に定着剤組成物をインクジェット印刷するよう構成されている。当該システムはさらに、前記帯電した定着剤成分とは逆の電荷を有する着色剤を含むインクジェットインクを収容する第２印刷ヘッドを含み、当該第２印刷ヘッドは定着剤組成物上にインクジェットインク組成物をインクジェット印刷するよう構成されている。前記帯電した定着剤成分とは逆の電荷を有するポリマーを含むポリマーオーバーコート組成物を収容する第３印刷ヘッドも含むことができ、それはインクジェットインク組成物上にポリマーオーバーコート組成物をインクジェット印刷するよう構成されている。【選択図】なし【特許請求の範囲】
【請求項１】
耐久性のあるインクジェットインク画像を印刷するシステムであって、
ａ）帯電した定着剤成分を含む定着剤組成物を収容し、且つ基材上に前記定着剤組成物をインクジェット印刷できるよう構成されている第１印刷ヘッドと、
ｂ）前記帯電した定着剤成分に対して逆の電荷を帯びている着色剤を含むインクジェットインク組成物を収容し、且つ前記定着剤組成物の上に前記インクジェットインク組成物をインクジェット印刷できるよう構成されている第２印刷ヘッドと、
ｃ）ポリマーオーバーコート組成物を収容し、且つ前記インクジェットインク組成物の上に前記ポリマーオーバーコート組成物をインクジェット印刷できるよう構成されている第３印刷ヘッドと、
を具備し、前記ポリマーオーバーコート組成物も前記帯電した定着剤成分に対して逆の電荷を帯びている、システム。
【請求項２】
前記帯電した定着剤成分がカチオン性定着剤組成物であり、前記着色剤がアニオン性着色剤であり、且つ前記ポリマーオーバーコート組成物がアニオン性ポリマーオーバーコート組成物である、請求項１に記載のシステム。
【請求項３】
前記帯電した定着剤成分がアニオン性定着剤組成物であり、前記着色剤がカチオン性着色剤であり、且つ前記ポリマーオーバーコート組成物がカチオン性ポリマーオーバーコート組成物である、請求項１に記載のシステム。
【請求項４】
前記定着剤組成物が、第１液体ビヒクルと、ポリ（ビニルピリジン）塩、ポリアルキルアミノエチルアクリレート、ポリアルキルアミノエチルメタクリレート、ポリ（ビニルイミダゾール）、ポリエチレンイミン、ポリビグアニド、ポリグアニド、及びそれらの組合せから選択される荷電ポリマーとを含む、請求項１に記載のシステム。
【請求項５】
前記定着剤組成物が、第１液体ビヒクルと、多価塩又は有機酸を含む、請求項１に記載のシステム。
【請求項６】
前記インクジェットインク組成物が、第２液体ビヒクルと、染料又は顔料の少なくとも１つとを含む、請求項１に記載のシステム。
【請求項７】
前記ポリマーオーバーコート組成物が、第３液体ビヒクルと高分子微粒子とを含む、請求項１に記載のシステム。
【請求項８】
前記ポリマーオーバーコート組成物がラテックス分散物を含み、前記ラテックス分散物が平均粒径２０ｎｍ〜５００ｎｍの高分子微粒子を含む、請求項７に記載のシステム。
【請求項９】
前記高分子微粒子がアニオン性であり、１００ｎｍ〜３００ｎｍの平均粒径を有し、複数のランダム重合モノマーを含み、且つ５，０００Ｍｗ〜２，０００，０００Ｍｗの重量平均分子量を有する、請求項７に記載のシステム。
【請求項１０】
耐久性のあるインクジェットインク画像を印刷する方法であって、
ａ）カチオン性定着剤組成物を媒体基材上に適用するステップと、
ｂ）前記媒体基材に適用された前記定着剤組成物上にアニオン性着色剤を含んでいるインクジェットインク組成物を噴射するステップと、
ｃ）前記定着剤組成物上に噴射された前記インクジェットインク組成物上にアニオン性ポリマーオーバーコート組成物を噴射するステップと、
を包含する、方法。
【請求項１１】
前記適用するステップが、噴射プロセスによる、請求項１０に記載の方法。
【請求項１２】
前記カチオン性定着剤組成物が、第１液体ビヒクルと、カチオン性ポリマー、多価塩、又は有機酸のうちの少なくとも１つとを含む、請求項１０に記載の方法。
【請求項１３】
前記アニオン性ポリマーオーバーコート組成物が、第３液体ビヒクルとアニオン性高分子微粒子とを含む、請求項１０に記載の方法。
【請求項１４】
前記アニオン性ポリマーオーバーコート組成物が、ラテックス分散物を含む、請求項１３に記載の方法。
【請求項１５】
前記アニオン性高分子微粒子が、１００ｎｍ〜３００ｎｍの平均粒径を有し、複数のランダム重合モノマーを含み、且つ５，０００Ｍｗ〜２，０００，０００Ｍｗの重量平均分子量を有する、請求項１３に記載の方法。
【請求項１６】
耐久性のある印刷画像であって、
ａ）媒体基材と、
ｂ）前記媒体基材上に第１印刷層として噴射されたカチオン性定着剤組成物と、
ｃ）前記定着剤組成物上に第２印刷層として噴射されたアニオン性着色剤含有インクジェットインク組成物と、
ｄ）前記インクジェットインク組成物上に第３印刷層として噴射されたアニオン性ポリマーオーバーコート組成物と、
を含む、印刷画像。
【請求項１７】
前記カチオン性定着剤組成物が、第１液体ビヒクルと、カチオン性ポリマー、多価塩、及び有機酸のうちの少なくとも１つとを含む、請求項１６に記載の耐久性のある印刷画像。
【請求項１８】
前記アニオン性ポリマーオーバーコート組成物が、第３液体ビヒクルとアニオン性高分子微粒子とを含む、請求項１６に記載の耐久性のある印刷画像。
【請求項１９】
前記アニオン性ポリマーオーバーコート組成物が、ラテックス分散物を含む、請求項１８に記載の耐久性のある印刷画像。
【請求項２０】
前記第１、第２及び第３印刷層を形成した当初、各々の層が未だ湿っているように、前記第１、第２及び第３印刷層が順次印刷されており、且つ層間で不完全な混合が起きている、請求項１６に記載の耐久性のある印刷画像。
【発明の詳細な説明】
【技術分野】
【０００１】
本発明は、インクジェット画像形成の領域に関する。より詳細には、本発明は、耐久性のある画像に関すると共に、画像耐久性が改善された画像を生成するための方法及びシステムに関する。
【背景技術】
【０００２】
インクジェット印刷が、種々の媒体表面、特に紙の上に画像を記録するための主要な方法となったのには理由が幾つかある。それら幾つかの理由として、プリンタ騒音の低さ、高速記録できること、並びに多色記録できること、が挙げられる。また、これらの利点が、使用者にとって比較的低コストでもたらされること、も挙げられる。大きく改善されてきたインクジェット印刷分野ではあるが、この改善につれて、例えば、より高速、より高分解能、フルカラー画像形成、高い安定性、高い画像耐久性などを求める要求もまた、当該領域の使用者の間で高まっている。
【発明の開示】
【発明が解決しようとする課題】
【０００３】
一般に、インクジェットインクは、染料系又は顔料系インクの何れかである。両方とも、典型的には、染料及び／又は顔料を含有する液体ビヒクルとして調製される。染料系インクジェットインクは、一般に、水溶性である液体着色剤を用い、顔料系インクは、典型的に、固体着色剤又は分散性着色剤を用いて色を得るものである。多くのシステムにおいて、インクジェットインクで印刷された画像は、レーザーで印刷された画像ほど耐久性は高くない。そのようなわけで、改善されたスマッジ（にじみ汚れ）耐性、耐水性、耐湿性等をはじめとする画像耐久性に関して、レーザー印刷技術と有利に競合できるシステム及び調合物について研究が続けられている。
【課題を解決するための手段】
【０００４】
層にある種の成分を適用することで良好な画像永続性並びにスマッジ耐性をもたらし得ることを確認した。詳細には、耐久性のあるインクジェットインク画像を印刷するシステムは、種々の液体物質を収容する複数の印刷ヘッドを具備することができる。当該システムは、帯電した定着剤成分を含有している定着剤組成物を収容する第１印刷ヘッドを具備することができ、この場合、当該第１印刷ヘッドは、基材上に定着剤組成物をインクジェット印刷できるよう構成される。当該システムはまた、インクジェットインクを収容する第２印刷ヘッドも具備することができ、この場合、当該第２印刷ヘッドは、定着剤組成物上にインクジェットインク組成物をインクジェット印刷できるよう構成されており、且つそのインクジェットインクは、帯電した定着剤成分とは逆の電荷を帯びた着色剤を含有している。第３印刷ヘッドは、ポリマーオーバーコート組成物を収容することができ、且つインクジェットインク組成物上にポリマーオーバーコート組成物をインクジェット印刷できるよう構成することができる。ポリマーオーバーコート組成物のポリマーも、帯電した定着剤成分に対して逆の電荷を帯びている。
【０００５】
他の実施形態では、耐久性のあるインクジェットインク画像を印刷する方法は、媒体基材上にカチオン性定着剤組成物を適用するステップと、媒体基材に適用された定着剤組成物の上にアニオン性着色剤含有インクジェットインクを噴射するステップと、定着剤組成物上に噴射されたインクジェットインク組成物の上にアニオン性ポリマーオーバーコート組成物を噴射するステップとを包含することができる。代替実施形態では、媒体基材上にアニオン性定着剤組成物を適用するステップと、媒体基材に適用された定着剤組成物の上にカチオン性着色剤含有インクジェットインクを噴射するステップと、定着剤組成物上に噴射されたインクジェットインク組成物の上にカチオン性ポリマーオーバーコート組成物を噴射するステップとを包含することもできる。
【０００６】
さらに別の実施形態では、耐久性のある印刷画像は、カチオン性定着剤組成物と、インクジェットインク組成物と、アニオン性ポリマーオーバーコート組成物とがその上に印刷された媒体基材から構成することができる。先に印刷した層が乾燥する前に層を連続して印刷する場合、ある種の液体混合が起こり得る。カチオン性定着剤組成物は、第１印刷層として媒体基材上に噴射させることができる。アニオン性着色剤を含有するインクジェットインク組成物は、第２印刷層として定着剤組成物上に噴射させることができる。アニオン性ポリマーオーバーコート組成物は、第３印刷層としてインクジェットインク組成物の上に噴射させることができる。代替実施形態では、耐久性のある印刷画像は、アニオン性定着剤組成物と、インクジェットインク組成物と、カチオン性ポリマーオーバーコート組成物とがその上に印刷された媒体基材から構成することができる。先の層が乾燥する前に層を順次印刷すると、ある種の液体混合が起こり得る。アニオン性定着剤組成物は、第１印刷層として媒体基材上に噴射させることができる。カチオン性着色剤を含有するインクジェットインク組成物は、第２印刷層として定着剤組成物の上に噴射させることができる。カチオン性ポリマーオーバーコート組成物は、第３印刷層としてインクジェットインク組成物の上に噴射させることができる。
【発明の効果】
【０００７】
本発明によれば、改善されたスマッジ（擦り汚れ）耐性、耐水性、耐湿性等をはじめとする画像耐久性の改善された画像、並びに当該画像を形成するための方法及びシステムを提供することができる。本発明のその他の特徴並びに利点は、例示目的で本発明の特徴を記載する以下の詳細な説明から明らかとなろう。
【発明を実施するための最良の形態】
【０００８】
本発明の特定の実施形態を開示、説明する前に、本発明が、ここに開示する特定のプロセスステップ並びに材料に限定されないことを理解されたい。何故なら、そのようなプロセスステップ及び材料はある程度変更し得るからである。また、本明細書で用いる用語は、特定の実施形態を専ら記述するだけの目的で用いていることも理解されたい。本発明の範囲は、添付の特許請求の範囲及びその等価物によってのみ限定されるものであり、当該用語は、本発明の範囲を限定する意はない。
【０００９】
本明細書並びに添付の特許請求の範囲で用いるとき、単数形は、別途明確に指示のない限り、複数形の意味を包含することに留意されたい。
【００１０】
本明細書で用いるとき、「液体ビヒクル」は、本発明による各種組成物を形成するにあたり、定着剤組成物の帯電成分、インクジェットインク組成物の帯電着色剤、又はポリマーオーバーコート組成物の帯電ポリマーをその中に溶解又は分散させるところの液体を意味する。多くの液体ビヒクル及びビヒクル成分は当分野で周知である。典型的なインクビヒクルとして、界面活性剤、共溶媒、緩衝剤、殺生物剤、金属イオン封止剤、粘度修正剤、及び水をはじめとする様々な薬剤からなる混合物を挙げることができる。カチオンあるいはアニオン成分、着色剤、又はオーバーコートポリマーに加えて、その他の固体又は材料を液体ビヒクルに保持（溶解又は分散）させてもよい。当該液体ビヒクルはまた、定着剤組成物のカチオン又はアニオン成分、インクジェットインク組成物の着色剤、又はオーバーコート組成物のポリマーと共に元々存在する液体を含むことができる。例えば、ポリマーオーバーコート組成物に関しては、当該組成物のポリマー微粒子がラテックス分散物によってもたらされる場合、そのラテックス分散物の水性相は、液体ビヒクル成分と混合されることで液体ビヒクルの一部となり得る。
【００１１】
定着剤組成物内の分散剤又は溶質を引用する際の「カチオン成分」とは、正に荷電しており且つ接触するとインクジェットインク内のラテックス含有コロイド懸濁液のラテックス成分を固定化するよう作用するところの、ポリマー、多価イオンもしくは塩、有機酸などを意味する。これらのカチオン成分は、インクジェットインクがアニオン性着色剤を保持し且つポリマーオーバーコート組成物がアニオン性ポリマーオーバーコート組成物である場合のシステムに使用される。
【００１２】
定着剤組成物内の分散剤又は溶質を引用する際の「アニオン成分」とは、負電荷を帯びている定着剤成分を意味する。これらのアニオン成分は、インクジェットインクがカチオン性着色剤を保持し且つポリマーオーバーコート組成物がカチオン性ポリマーオーバーコート組成物である場合のシステムに使用される。
【００１３】
「着色剤」は、本発明の実施形態に従って調製される液体ビヒクルに溶解又は分散する染料及び／又は顔料を包含する。カチオン性あるいはアニオン性染料及び／又は顔料は、当該着色剤が使用されるシステムに応じて使用することができる。アニオン性染料は、典型的に水溶性であり、それ故、多くの実施形態において使用することが望ましい。しかし、カチオン性染料も、他の実施形態において使用することができる。あるいはまた、アニオン性もしくはカチオン性顔料もまた、システムや方法に応じて使用することができる。使用し得る顔料には、自己分散性顔料及び非自己分散性顔料が含まれる。自己分散性顔料には、小分子の電荷又は高分子基によって化学的に表面修飾されたものが含まれる。この化学的修飾は、顔料が液体ビヒクル中で分散状態となり且つ／又は実質的にその状態を維持するのを支援する。当該顔料はまた、非自己分散性顔料ともし得、それは液体ビヒクル中及び／又は物理的コーティングを有する顔料中の、別個の（結合していない）分散剤（当該顔料が液体ビヒクル中で分散状態となり且つ／又は実質的にその状態を維持するのを支援する）を利用するものである。
【００１４】
「アニオン性ポリマー」又は「アニオン性ポリマー微粒子」は、表面アニオン基を有するポリマーを意味する。本発明の実施形態に従ってアニオン性ポリマーを液体ビヒクルに懸濁させてアニオン性ポリマーオーバーコート組成物を形成することができる。これらのアニオン性ポリマーは、カチオン性定着剤組成物及びアニオン性着色剤を保持するインクジェットインクと共に使用することができる。
【００１５】
「カチオン性ポリマー」又は「カチオン性ポリマー微粒子」は、表面カチオン基を有するポリマーを意味する。本発明の実施形態に従ってカチオン性ポリマーを液体ビヒクルに懸濁させてカチオン性ポリマーオーバーコート組成物を形成することができる。これらのカチオン性ポリマーは、アニオン性定着剤組成物及びカチオン性着色剤を保持するインクジェットインクと共に使用することができる。
【００１６】
本明細書では、濃度、量、及びその他の数値データを範囲形式で提示する場合がある。そのような範囲形式は、便利且つ簡潔のために用いるものであり、範囲の限界値として明記した数値を含むだけでなく、各数値及び副範囲があたかも明記されているようにその範囲内に包含される個別の数値又は副範囲を全て包含するものと柔軟に解釈すべきであることを理解されたい。例を示せば、「０．１ｗｔ％〜５ｗｔ％」という濃度範囲は、０．１ｗｔ％、５ｗｔ％という明記された濃度を含むだけでなく、示した範囲内の個別の濃度及び副範囲も包含するものと解釈されたい。従って、１ｗｔ％、２ｗｔ％、３ｗｔ％、及び４ｗｔ％のような個別濃度、及び０．１ｗｔ％〜１．５ｗｔ％、１ｗｔ％〜３ｗｔ％、２ｗｔ％〜４ｗｔ％、３ｗｔ％〜５ｗｔ％等のような副範囲もまた、その数値範囲に包含される。ただ１つの数値を挙げる範囲記載にも、同じ原理が適用される。例えば、「５ｗｔ％未満」と挙げた範囲は、０ｗｔ％〜５ｗｔ％の間の全ての値及び副範囲を含むものと解釈されたい。さらに、そのような解釈は、範囲の大きさ又は記述されている特性に関係なく適用すべきである。
【００１７】
本明細書で用いるとき、「有効量」とは、所望の効果を達成するのに十分である、材料又は薬剤の最小量を意味する。例えば、「液体ビヒクル」の有効量とは、効率的なインクジェットに必要な諸特性を維持する限りにおいて、本発明の実施形態に従って各種組成物、即ち、定着剤組成物、インクジェットインク組成物、又はポリマーオーバーコート組成物を作るのに必要となる最小の量である。
【００１８】
数値又は範囲を引用する際の用語「約」は、測定実施時に起こり得る実験誤差から生ずる値も包含する意がある。
【００１９】
これらを銘記して、本発明は、インクジェット画像形成の分野に関する。より詳細には、本発明は、良好なスマッジ耐性をもたらし、それ故、より永続性のある画像をもたらし得る印刷画像、印刷システム及び方法に関する。一実施形態では、耐久性のあるインクジェットインク画像を印刷するためのシステムは、種々の液体物質を収容する複数の印刷ヘッドを具備することができる。詳細には、当該システムは、帯電した定着剤成分を含有している定着剤組成物を収容する第１印刷ヘッドを具備することができ、この場合、当該第１印刷ヘッドは、基材上に定着剤組成物をインクジェット印刷できるように構成される。当該システムはまた、帯電した定着剤成分とは逆の電荷を帯びた着色剤を含有しているインクジェットインクを収容する第２印刷ヘッドも具備することができ、この場合、当該第２印刷ヘッドは、定着剤組成物上にインクジェットインク組成物をインクジェット印刷できるよう構成される。第３印刷ヘッドは、ポリマーオーバーコート組成物を収容することができ、且つインクジェットインク組成物の上にポリマーオーバーコート組成物をインクジェット印刷できるよう構成することができる。ポリマーオーバーコート組成物のポリマーも、帯電した定着剤成分とは逆の電荷を帯びている。３つの印刷ヘッドの各々が同じインクジェットペンに存在しても、２つが同じインクジェットペンに存在しても、又は各々が個別のインクジェットペンに存在してもよい。
【００２０】
別の実施形態では、耐久性のあるインクジェットインク画像を印刷する方法は、媒体基材上にカチオン性定着剤組成物を適用するステップと、媒体基材に適用された定着剤組成物の上にアニオン性着色剤含有インクジェットインクを噴射するステップと、定着剤組成物上に噴射されたインクジェットインク組成物の上にアニオン性ポリマーオーバーコート組成物を噴射するステップとを包含することができる。カチオン性定着剤組成物を適用するステップは、噴射によるか、ローラーコーティングのような別のコーティング工程によるか、又は製造工程中に媒体基材を形成しながら定着剤組成物を付加することによって実施することができる。あるいはまた、当該方法は、アニオン性定着剤組成物、カチオン性着色剤含有インクジェットインク、及びカチオン性ポリマーオーバーコート組成物を使用することもできる。
【００２１】
さらに別の実施形態では、耐久性のある印刷画像は、カチオン性定着剤組成物と、インクジェットインク組成物と、アニオン性ポリマーオーバーコート組成物とがその上に印刷された媒体基材から構成することができる。カチオン性定着剤組成物は、第１印刷層として媒体基材上に噴射させることができる。アニオン性着色剤を含有するインクジェットインク組成物は、第２印刷層として定着剤組成物上に噴射させることができる。アニオン性ポリマーオーバーコート組成物は、第３印刷層としてインクジェットインク組成物の上に噴射させることができる。あるいはまた、耐久性のある印刷画像は、アニオン性定着剤組成物、カチオン性着色剤含有インクジェットインク、及びカチオン性ポリマーオーバーコート組成物を用いて形成することができる。
【００２２】
本発明は、概して、後に適用される着色剤及びコーティング組成物とは大体において逆の電荷を有する定着剤組成物を媒体基材に適用するものであることを理解されたい。従って、好ましい実施形態では、定着剤組成物はカチオン成分を含有する定着剤組成物からなり、インクジェットインク組成物はアニオン性着色剤を含み、そしてポリマーオーバーコーティング組成物はアニオン性ポリマーを含む。当該実施形態に関して詳細に説明することとする。しかしながら、それもまた本発明の範囲内であるところの代替実施形態では、アニオン成分を有する定着剤組成物、カチオン性着色剤を含むインクジェットインク、及びカチオン性ポリマーポリマーを含むポリマーオーバーコーティング組成物を包含してもよい。従って、カチオン性定着剤組成物、アニオン性着色剤含有インクジェットインク、及びアニオン性ポリマー組成物を使用する実施形態を参照する際は、同様の議論が、先の代替実施形態、即ち、カチオン性定着剤組成物、アニオン性着色剤含有インクジェットインク、及びアニオン性ポリマー組成物を使用する実施形態にも適用することができることを理解されたい。
【００２３】
本明細書に記載する実施形態の各々において、カチオン性定着剤組成物は、インクジェットインクのアニオン性染料及び／又はアニオン性分散顔料と反応し、沈殿し、且つ／又は凝集するよう構成されたカチオン成分を含むことができる。代替的に又は追加的に、カチオン成分は、アニオン性ポリマーオーバーコート組成物のアニオン性ポリマーと反応し、沈殿し、且つ／又は凝集するよう構成することができる。従って、一実施形態では、定着剤組成物、インクジェットインク組成物、及びアニオン性ポリマーオーバーコート組成物を、後の層を付加する際に各層が未だ濡れているように順次印刷して層状にすることができる。この方法では、各層の界面における液体混合によって異なる層を形成することができる。さらに、この方法では、層に適用されても、アニオン性ポリマーオーバーコートは、カチオン性定着剤組成物と混合し且つ反応することができる。
【００２４】
各成分の量に関して説明する。カチオン成分は、カチオン性ポリマー、多価イオン、有機酸などとし得る。カチオン性、アニオン性にかかわらず、定着剤組成物の帯電成分は、全インクジェット組成物の０．２ｗｔ％〜１５ｗｔ％となるよう液体ビヒクル中に存在させ得る。インクジェットインクは、有効量の液体ビヒクルと、０．１ｗｔ％〜１０ｗｔ％の染料又は顔料着色剤を含むことができる。アニオン（又はカチオン）性ポリマーオーバーコート組成物は、有効量の液体ビヒクルと、１ｗｔ％〜８ｗｔ％の高分子微粒子を含むことができる。高分子微粒子としては、一実施形態では、ラテックス分散物によってポリマーオーバーコート組成物にもたらされるところのラテックス微粒子を用いることができる。
【００２５】
定着剤組成物
本発明の実施形態に従って定着剤組成物を用いることができる。典型的には、定着剤組成物は、インクジェットインク及びアニオン性ポリマー組成物の適用に先立って媒体基材に適用される。定着剤組成物の媒体基材への適用は、インクジェットインクの望ましくない浸透を防ぐことができ且つインクジェットインクの着色剤と反応してフェザリング及びブリードを防止することができる。しかし、在来のインクジェットインクシステムに使用する際は、定着剤だけでは十分な程度の耐久性はもたらされない。以下に記述するように、アニオン性ポリマーオーバーコート組成物を組合せて使用することによって、定着剤組成物は、インクジェットインク組成物の着色剤及び／又はアニオン性ポリマーオーバーコート組成物のアニオン性ポリマーと相互作用して、十分な色強度を維持しつつ、スマッジ耐性及びスミア（擦り汚れ）耐性を改善することができる。このような十分な色強度の維持、並びに高いスマッジ耐性及びスミア耐性は、本発明のシステム及び方法を用いて画像を生成する際、ある程度画像が乾燥した後に、顕著となる。
【００２６】
多くの場合、噴射プロセスによって定着剤組成物を適用することが好まれるとはいえ、定着剤組成物の適用するための他の方法もまた本発明の範囲内である。例えば、媒体基材を定着剤組成物で前処理してもよい。例を示せば、定着剤による前処理は、定着剤組成物を用紙製造工程に導入することによって実施するか、あるいはまた、定着剤組成物を噴射プロセス以外の方法（例えば、ローラー適用）等によって媒体基材上にコーティングすることができる。
【００２７】
本発明の実施形態によるカチオン性定着剤組成物に用い得るカチオン成分の例として、カチオン性ポリマー、有機酸、及び／又は多価塩が挙げられる。本発明の実施形態に従って十分に機能するカチオン性ポリマーの例には、ポリ（ビニルピリジン）塩、ポリアルキルアミノエチルアクリレート、ポリアルキルアミノエチルメタクリレート、ポリ（ビニルイミダゾール）、ポリ（グルコサミン）、ポリエチレンイミン、ポリビグアニド、ポリヘキシメチレングアニド、及び／又はポリグアニドが含まれる。有機酸又は多価塩もまた、単独で又は相互に組合せて、又はカチオン性ポリマーと組合せて用いることができる。一実施形態では、定着剤組成物は、カチオン性ポリマーを含み、且つインクジェットインク組成物又はアニオン性ポリマーオーバーコート組成物の定着を支援し得るイオン又はその他の成分を含有するよう調製することができる。例えば、当該定着剤に含有させ得るカチオン性ポリマー成分に加えて、多価塩も含有させ得る。その例には、多価金属硝酸塩、ＥＤＴＡ塩、ハロゲン化ホスホニウム塩、有機酸（グリコール酸、コハク酸、クエン酸、酢酸など）、及びそれらの組合せが含まれる。一実施形態では、カチオン性ポリマーと共に、カルシウムイオンを定着剤組成物中に存在させ得る。
【００２８】
あるいはまた、インクジェットインク組成物の着色剤と、ポリマーオーバーコート組成物のポリマーとが両方ともアニオン性である実施形態においては、アニオン性定着剤組成物に使用し得るアニオン成分としては、ポリアクリル酸、ポリメタクリル酸、ポリスチレンスルホン酸塩等が挙げられる。カルボン酸、スルホン酸塩、及びスルホコハク酸塩をはじめとする、他のアニオン置換基を有するポリマーを用いることもできる。
【００２９】
インクジェットインク組成物
本発明において用いるためのインクジェットインク組成物は、典型的に、液体ビヒクルと、システムに応じて、アニオン性染料及び／又はアニオン性顔料、又は、カチオン性染料及び／又はカチオン性顔料などの耐電着色剤とを含有する。任意に、当該液体ビヒクルは、分散ポリマー等のような、着色剤以外の他の成分を保持することができる。本発明の実施形態に従って、染料、顔料、又は染料と顔料の両方、を含むインクジェットインクを用いることができる。
【００３０】
自己分散性顔料及び／又はポリマー分散性顔料のような、各種の顔料を用いることができる。自己分散性顔料は、典型的に、その表面に小分子又は高分子分散剤が結合した顔料微粒子からなる。非自己分散性顔料を用いる場合、液体ビヒクルは、顔料と会合する分散剤をさらに含有したり、顔料を分散剤で物理的にコーティングすることができる。当該分散剤には、ポリマー、オリゴマー、表面活性剤、小分子等を用いることができる。定着剤組成物がカチオン成分を含み、且つポリマーオーバーコート組成物がアニオン性ポリマーオーバーコート組成物である実施形態では、用い得るアニオン性顔料の例として、アニオン性の自己分散性顔料又はアニオン性ポリマー分散剤で安定化された顔料が挙げられる。逆に、定着剤組成物がアニオン成分を含み、且つポリマーオーバーコート組成物がカチオン性ポリマーオーバーコート組成物である実施形態では、用い得るカチオン性顔料の例として、カチオン性の自己分散性顔料又はカチオン性ポリマー分散剤で安定化された顔料が挙げられる。
【００３１】
カチオン性定着剤組成物及びアニオン性ポリマーオーバーコート組成物と共に用い得るアニオン染料に関しては、当該アニオン性染料には、ペンダントアニオン基を有する発色団、又はその他のアニオン性帯電染料を用いることができる。適切なアニオン性染料の例として、多数の水溶性の酸性染料及び直接染料が挙げられる。アニオン性染料の具体例には、Ｄｉｒｅｃｔ  Ｙｅｌｌｏｗ  ８６、Ａｃｉｄ  Ｒｅｄ  ２４９、Ｄｉｒｅｃｔ  Ｂｌｕｅ  １９９、Ｄｉｒｅｃｔ  Ｂｌａｃｋ  １６８、Ｒｅａｃｔｉｖｅ  Ｂｌａｃｋ  ３１、Ｄｉｒｅｃｔ  Ｙｅｌｌｏｗ  １５７、Ｒｅａｃｔｉｖｅ  Ｙｅｌｌｏｗ  ３７、Ａｃｉｄ  Ｙｅｌｌｏｗ  ２３、Ｒｅａｃｔｉｖｅ  Ｒｅｄ  １８０、Ａｃｉｄ  Ｒｅｄ  ５２、Ａｃｉｄ  Ｂｌｕｅ  ９、Ｄｉｒｅｃｔ  Ｒｅｄ  ２２７、Ａｃｉｄ  Ｙｅｌｌｏｗ  １７、Ｄｉｒｅｃｔ  Ｂｌｕｅ  ８６、Ｒｅａｃｔｉｖｅ  Ｒｅｄ  ４、Ｒｅａｃｔｉｖｅ  Ｒｅｄ  ５６、Ｒｅａｃｔｉｖｅ  Ｒｅｄ  ３１、及びＤｉｒｅｃｔ  Ｙｅｌｌｏｗ  １３２；Ａｍｉｎｙｌ  Ｂｒｉｌｌｉａｎｔ  Ｒｅｄ  Ｆ−Ｂ（住友化学社）；ヘキスト（Ｈｏｅｃｈｓｔ）社から入手できる「塩を含まない」染料であるＤｕａｓｙｎシリーズが含まれる。さらに他の例としては、Ｂｅｒｎａｃｉｄ  Ｒｅｄ  ２ＢＭＮ、Ｐｏｎｔａｍｉｎｅ  Ｂｒｉｌｌｉａｎｔ  Ｂｏｎｄ  Ｂｌｕｅ  Ａ、ＢＡＳＦ  Ｘ−３４、Ｐｏｎｔａｍｉｎｅ、Ｆｏｏｄ  Ｂｌａｃｋ  ２、Ｌｅｖａｆｉｘ  Ｂｒｉｌｌｉａｎｔ  Ｒｅｄ  Ｅ−４Ｂ（モバイケミカル社）、Ｌｅｖａｆｉｘ  Ｂｒｉｌｌｉａｎｔ  Ｒｅｄ  Ｅ−６ＢＡ（モバイケミカル社）、Ｐｙｌａｍ  Ｃｅｒｔｉｆｉｅｄ  Ｄ＆Ｃ  Ｒｅｄ＃２８（Ａｃｉｄ  Ｒｅｄ  ９２、パイラム社）、Ｄｉｒｅｃｔ  Ｂｒｉｌｌ  Ｐｉｎｋ  Ｂ  Ｇｒｏｕｎｄ  Ｃｒｕｄｅ（クロンプトン アンド ノールズ（Ｃｒｏｍｐｔｏｎ＆Ｋｎｏｗｌｅｓ）社）、Ｃａｒｔａｓｏｌ  Ｙｅｌｌｏｗ  ＧＴＦ  Ｐｒｅｓｓｃａｋｅ（サンド社）、Ｔａｒｔｒａｚｉｎｅ  Ｅｘｔｒａ  Ｃｏｎｃ．（ＦＤ＆Ｃ  Ｙｅｌｌｏｗ＃５、Ａｃｉｄ  Ｙｅｌｌｏｗ  ２３、サンド社）、Ｃａｒｔａｓｏｌ  Ｙｅｌｌｏｗ  ＧＴＦ  Ｌｉｑｕｉｄ  Ｓｐｅｃｉａｌ  １１０（サンド社）、Ｄ＆Ｃ  Ｙｅｌｌｏｗ  ＃１０（Ｙｅｌｌｏｗ  ３、トリコン社）、Ｙｅｌｌｏｗ  Ｓｈａｄｅ  １６９４８（トリコン社）、Ｂａｓａｃｉｄ  Ｂｌａｃｋ  Ｘ３４（バスフ社）、Ｃａｒｔａ  Ｂｌａｃｋ  ２ＧＴ（サンド社）、Ｎｅｏｚａｐｏｎ  Ｒｅｄ  ４９２（バスフ社）、Ｏｒａｓｏｌ  Ｒｅｄ  Ｇ（チバガイギー社）、Ｄｉｒｅｃｔ  Ｂｒｉｌｌｉａｎｔ  Ｐｉｎｋ  Ｂ（クロンプトン アンド ノールズ社）、Ａｉｚｅｎ  Ｓｐｉｌｏｎ  Ｒｅｄ  Ｃ−ＢＨ（保土ヶ谷化学社）、Ｋａｙａｎｏｌ  Ｒｅｄ  ３ＢＬ（日本化薬社）、Ｌｅｖａｎｏｌ  Ｂｒｉｌｌｉａｎｔ  Ｒｅｄ  ３ＢＷ（モバイケミカル社）、Ｌｅｖａｄｅｒｍ  Ｌｅｍｏｎ  Ｙｅｌｌｏｗ（モバイケミカル社）、Ａｉｚｅｎ  Ｓｐｉｌｏｎ  Ｙｅｌｌｏｗ  Ｃ−ＧＮＨ（保土ヶ谷化学社）、Ｓｐｉｒｉｔ  Ｆａｓｔ  Ｙｅｌｌｏｗ  ３Ｇ、Ｓｉｒｉｕｓ  Ｓｕｐｒａ  Ｙｅｌｌｏｗ  ＧＤ  １６７、Ｃａｒｔａｓｏｌ  Ｂｒｉｌｌｉａｎｔ  Ｙｅｌｌｏｗ  ４ＧＦ（サンド社）、Ｐｅｒｇａｓｏｌ  Ｙｅｌｌｏｗ  ＣＧＰ（チバガイギー社）、Ｏｒａｓｏｌ  Ｂｌａｃｋ  ＲＬ（チバガイギー社）、Ｏｒａｓｏｌ  Ｂｌａｃｋ  ＲＬＰ（チバガイギー社）、Ｓａｖｉｎｙｌ  Ｂｌａｃｋ  ＲＬＳ（サンド社）、Ｄｅｒｍａｃａｒｂｏｎ  ２ＧＴ（サンド社）、Ｐｙｒａｚｏｌ  Ｂｌａｃｋ  ＢＧ（アイシーアイ アメリカ社）、Ｍｏｒｆａｓｔ  Ｂｌａｃｋ  Ｃｏｎｃ  Ａ（モートン・チオコール社）、Ｄｉａｚｏｌ  Ｂｌａｃｋ  ＲＮ  Ｑｕａｄ（アイシーアイ アメリカ社）、Ｏｒａｓｏｌ  Ｂｌｕｅ  ＧＮ（チバガイギー社）、Ｓａｖｉｎｙｌ  Ｂｌｕｅ  ＧＬＳ（サンド社）、Ｌｕｘｏｌ  Ｂｌｕｅ  ＭＢＳＮ（モートン・チオコール社）、Ｓｅｖｒｏｎ  Ｂｌｕｅ  ５ＧＭＦ（アイシーアイ アメリカ社）、及びＢａｓａｃｉｄ  Ｂｌｕｅ  ７５０（バスフ社）；全てバイエル社から入手可能な、Ｌｅｖａｆｉｘ  Ｂｒｉｌｌｉａｎｔ  Ｙｅｌｌｏｗ  Ｅ−ＧＡ、Ｌｅｖａｆｉｘ  Ｙｅｌｌｏｗ  Ｅ２ＲＡ、Ｌｅｖａｆｉｘ  Ｂｌａｃｋ  ＥＢ、Ｌｅｖａｆｉｘ  Ｂｌａｃｋ  Ｅ−２Ｇ、Ｌｅｖａｆｉｘ  Ｂｌａｃｋ  Ｐ−３６Ａ、Ｌｅｖａｆｉｘ  Ｂｌａｃｋ  ＰＮ−Ｌ、Ｌｅｖａｆｉｘ  Ｂｒｉｌｌｉａｎｔ  Ｒｅｄ  Ｅ６ＢＡ、及びＬｅｖａｆｉｘ  Ｂｒｉｌｌｉａｎｔ  Ｂｌｕｅ  ＥＦＦＡ；全てアイシーアイ アメリカ社から入手可能な、Ｐｒｏｃｉｏｎ  Ｔｕｒｑｕｏｉｓｅ  ＰＡ、Ｐｒｏｃｉｏｎ  Ｔｕｒｑｕｏｉｓｅ  ＨＡ、Ｐｒｏｃｉｏｎ  Ｔｕｒｑｕｏｉｓｅ  Ｈｏ５Ｇ、Ｐｒｏｃｉｏｎ  Ｔｕｒｑｕｏｉｓｅ  Ｈ−７Ｇ、Ｐｒｏｃｉｏｎ  Ｒｅｄ  ＭＸ−５Ｂ、Ｐｒｏｃｉｏｎ  Ｒｅｄ  ＭＸ  ８Ｂ  ＧＮＳ、Ｐｒｏｃｉｏｎ  Ｒｅｄ  Ｇ、Ｐｒｏｃｉｏｎ  Ｙｅｌｌｏｗ  ＭＸ−８Ｇ、Ｐｒｏｃｉｏｎ  Ｂｌａｃｋ  Ｈ−ＥＸＬ、Ｐｒｏｃｉｏｎ  Ｂｌａｃｋ  Ｐ−Ｎ、Ｐｒｏｃｉｏｎ  Ｂｌｕｅ  ＭＸ−Ｒ、Ｐｒｏｃｉｏｎ  Ｂｌｕｅ  ＭＸ−４ＧＤ、Ｐｒｏｃｉｏｎ  Ｂｌｕｅ  ＭＸ−Ｇ、及びＰｒｏｃｉｏｎ  Ｂｌｕｅ  ＭＸ−２ＧＮ；全てチバガイギー社から入手可能な、Ｃｉｂａｃｒｏｎ  Ｒｅｄ  Ｆ−Ｂ、Ｃｉｂａｃｒｏｎ  Ｂｌａｃｋ  ＢＧ、Ｌａｎａｓｏｌ  Ｂｌａｃｋ  Ｂ、Ｌａｎａｓｏｌ  Ｒｅｄ  ５Ｂ、Ｌａｎａｓｏｌ  Ｒｅｄ  Ｂ、及びＬａｎａｓｏｌ  Ｙｅｌｌｏｗ  ４６；全てバスフ社から入手可能な、Ｂａｓｌｉｅｎ  Ｂｌａｃｋ  Ｐ−ＢＲ、Ｂａｓｌｉｅｎ  Ｙｅｌｌｏｗ  ＥＧ、Ｂａｓｌｉｅｎ  Ｂｒｉｌｌｉａｎｔ  Ｙｅｌｌｏｗ  Ｐ−３ＧＮ、Ｂａｓｌｉｅｎ  Ｙｅｌｌｏｗ  Ｍ−６ＧＤ、Ｂａｓｌｉｅｎ  Ｂｒｉｌｌｉａｎｔ  Ｒｅｄ  Ｐ−３Ｂ、Ｂａｓｌｉｅｎ  Ｓｃａｒｌｅｔ  Ｅ−２Ｇ、Ｂａｓｌｉｅｎ  Ｒｅｄ  Ｅ−Ｂ、Ｂａｓｌｉｅｎ  Ｒｅｄ  Ｅ−７Ｂ、Ｂａｓｌｉｅｎ  Ｒｅｄ  Ｍ−５Ｂ、Ｂａｓｌｉｅｎ  Ｂｌｕｅ  Ｅ−Ｒ、Ｂａｓｌｉｅｎ  Ｂｒｉｌｌｉａｎｔ  Ｂｌｕｅ  Ｐ−３Ｒ、Ｂａｓｌｉｅｎ  Ｂｌａｃｋ  Ｐ−ＢＲ、Ｂａｓｌｉｅｎ  Ｔｕｒｑｕｏｉｓｅ  Ｂｌｕｅ  Ｐ−ＧＲ、Ｂａｓｌｉｅｎ  Ｔｕｒｑｕｏｉｓｅ  Ｍ−２Ｇ、Ｂａｓｌｉｅｎ  Ｔｕｒｑｕｏｉｓｅ  Ｅ−Ｇ、及びＢａｓｌｉｅｎ  Ｇｒｅｅｎ  Ｅ−６Ｂ；全て住友化学社から入手可能な、Ｓｕｍｉｆｉｘ  Ｔｕｒｑｕｏｉｓｅ  Ｂｌｕｅ  Ｇ、Ｓｕｍｉｆｉｘ  Ｔｕｒｑｕｏｉｓｅ  Ｂｌｕｅ  Ｈ−ＧＦ、Ｓｕｍｉｆｉｘ  Ｂｌａｃｋ  Ｂ、Ｓｕｍｉｆｉｘ  Ｂｌａｃｋ  Ｈ−ＢＧ��Ｓｕｍｉｆｉｘ  Ｙｅｌｌｏｗ  ２ＧＣ、Ｓｕｍｉｆｉｘ  Ｓｕｐｒａ  Ｓｃａｒｌｅｔ  ２ＧＦ、及びＳｕｍｉｆｉｘ  Ｂｒｉｌｌｉａｎｔ  Ｒｅｄ  ５ＢＦ；全てクロンプトン アンド ノールズ社の染料・化成品部門から入手可能な、Ｉｎｔｒａｃｒｏｎ  Ｙｅｌｌｏｗ  Ｃ−８Ｇ、Ｉｎｔｒａｃｒｏｎ  Ｒｅｄ  Ｃ−８Ｂ、Ｉｎｔｒａｃｒｏｎ  Ｔｕｒｑｕｏｉｓｅ  Ｂｌｕｅ  ＧＥ、Ｉｎｔｒａｃｒｏｎ  Ｔｕｒｑｕｏｉｓｅ  ＨＡ、及びＩｎｔｒａｃｒｏｎ  Ｂｌａｃｋ  ＲＬ；Ｐｒｏ−Ｊｅｔ４８５（銅フタロシアニン）；Ｍａｇｅｎｔａ３７７；及びそれらの混合物等が挙げられる。このリストは、単なる例示であって、本発明の範囲を限定する意はない。
【００３２】
定着剤組成物がアニオン成分を含み且つポリマーオーバーコート組成物がカチオン性ポリマーオーバーコート組成物である実施形態においては、用い得るカチオン染料の例には、Ａｕｒａｍｉｎｅ  Ｏ、Ｙｅｌｌｏｗ  ４Ｇ、Ｙｅｌｌｏｗ  ８ＧＬ、Ｙｅｌｌｏｗ  Ｘ−２ＲＬ、Ｙｅｌｌｏｗ  ７ＧＬＬ、Ｙｅｌｌｏｗ  ７ＧＬ、Ｙｅｌｌｏｗ  ＧＬ、Ｙｅｌｌｏｗ  １０ＧＦＦ、Ｙｅｌｌｏｗ  ４９、Ｙｅｌｌｏｗ  ５ＧＬ、Ｙｅｌｌｏｗ  ６２、Ｙｅｌｌｏｗ  ４ＧＬ、Ｃｈｒｙｓｏｉｄｉｎｅ、Ｏｒａｎｇｅ  ＧＬ、Ｒｈｏｄａｍｉｎｅ  ６ＧＤＮ、Ｒｅｄ  Ｂ、Ｒｅｄ  ９、Ｐｉｎｋ  Ｘ−ＦＧ、Ｂｒｉｌｌｉａｎｔ  Ｒｅｄ  ５ＧＮ、Ｒｅｄ  ＧＴＬ、Ｒｅｄ  Ｆ３ＢＬ、Ｒｅｄ  ２ＧＬ、Ｒｅｄ  ＧＲＬ、Ｒｅｄ  Ｍ−ＲＬ、Ｍｅｔｈｙｌ  Ｖｉｏｌｅｔ  ２Ｂ、Ｍｅｔｈｙｌ  Ｖｉｏｌｅｔ  ５ＢＮ、Ｒｅｄ  ６Ｂ、Ｖｉｏｌｅｔ  ８、Ｒｈｏｄａｍｉｎｅ  Ｂ、Ｂａｓｉｃ  Ｖｉｏｌｅｔ  １４、Ｂａｓｉｃ  Ｖｉｏｌｅｔ  １６、Ｔｒｕｑｕｏｉｓｅ  Ｂｌｕｅ  ＧＢ、Ｖｉｃｔｏｒｙ  Ｐｕｒｅ  Ｂｌｕｅ  ＢＯ、Ｍｅｔｈｙｌｅｎｅ  Ｂｌｕｅ  ２Ｂ、Ｖｉｃｔｏｒｙ  Ｂｌｕｅ  Ｒ、Ｖｉｃｔｏｒｙ  Ｂｌｕｅ  Ｂ、Ｂａｓｉｃ  ＧＲＬ／ＧＲＲＬ、Ｖｉｏｌｅｔ  Ｂｌｕｅ  ３ＢＬ、Ｂｒｉｌｌｉａｎｔ  Ｂｌｕｅ  ＲＬ、Ｂｌｕｅ  ＦＢＬ、Ｂｌｕｅ  ＦＲＬ、Ｂｒｉｌｌｉａｎｔ  Ｇｒｅｅｎ、Ｍａｌａｃｈｉｔｅ  Ｇｒｅｅｎ、Ｂｉｓｍａｒｋ  Ｂｒｏｗｎ  Ｇ、Ｂｉｓｍａｒｋ  Ｂｒｏｗｎ  Ｒ等がある。
【００３３】
ポリマーオーバーコート組成物
本明細書において説明する方法、システム、又は印刷画像に関連して、ポリマーオーバーコート組成物は、ラテックス微粒子を含有するラテックス分散物を含むか、又は単に液体ビヒクル中に分散している高分子微粒子を含むことができる。カチオン性定着剤組成物とアニオン性着色剤含有インクジェットインクを利用するシステムにおいては、アニオン性ポリマーオーバーコート組成物を使用することができる。アニオン性定着剤組成物とカチオン性着色剤含有インクジェットインクを利用するシステムにおいては、カチオン性ポリマーオーバーコート組成物を使用することができる。いずれの場合においても、高分子微粒子の粒径は、約２０ｎｍ〜５００ｎｍの範囲とし得、一実施形態では、約１００ｎｍ〜３００ｎｍとし得る。ポリマーオーバーコート組成物は、典型的に、印刷画像の着色部分を形成するために用いられるインクジェットインクに関して上刷りされる故、好ましくは、ポリマーオーバーコート組成物は無色又はほぼ無色とし得る。
【００３４】
ラテックス微粒子の表面電荷は、典型的に、ラテックス微粒子を形成すべく、他のモノマーと共に又は他のモノマーが無い状態で酸モノマーを乳化重合することによって生成される。当該プロセスは、当分野において広く知られている。ランダム重合モノマーをはじめ、ラテックス分散物の高分子微粒子を作ることができる成分は多数あり、この場合、高分子微粒子の重量平均分子量は、全体として、約１０，０００Ｍｗ〜２，０００，０００Ｍｗであり、一実施形態では、約４０，０００Ｍｗ〜１００，０００Ｍｗである。さらに、ラテックス分散物の高分子微粒子のガラス転移温度は、２５℃〜１００℃とし得る。用い得る格好のラテックスとして、ＮＭ  ３２６６−Ｂ及びＮＭ  ３２７０−Ｂが挙げられ、両方ともローム アンド ハース社から入手できる。
【００３５】
アニオン性ポリマーオーバーコート組成物が、ラテックス分散物ではなく、単に液体ビヒクルに分散しているアニオン性の高分子微粒子である場合には、用い得る当該成分の例として、Ｊｏｎｃｒｙｌ  ７４及びＪｏｎｃｒｙｌ  ６２４（両方ともジョンソンポリマー社から入手できる）が挙げられる。ポリマーオーバーコート組成物がカチオン性ポリマーオーバーコート組成物である場合は、用い得る典型的な組成物として、ポリ（ビニルピリジン）塩、ポリアルキルアミノエチルアクリレート、ポリアルキルアミノエチルメタクリレート、ポリ（ビニルイミダゾール）、ポリ（グルコサミン）、ポリエチレンイミン、ポリビグアニド、ポリヘキシメチレングアニジン、ポリグアニド等が挙げられる。
【００３６】
液体ビヒクル及びその他の印刷要件
定着剤組成物、インクジェットインク組成物、及びポリマーオーバーコート組成物に関して、各組成物は、典型的に液体ビヒクルを含有する。サーマル又は圧電式インクジェットインク技術に使用するのが有効であるところの多数の成分の何れかを含有させることもできる。例えば、定着剤組成物、インクジェットインク組成物、又はポリマーオーバーコート組成物の液体ビヒクルは、有効量の水と、０ｗｔ％〜５ｗｔ％の界面活性剤と、５ｗｔ％〜５０ｗｔ％の溶媒と、０ｗｔ％〜２ｗｔ％の殺生物剤とを含むことができる。本開示の検討により当業者には理解されるであろうように、その他の成分も存在させることができる。さらに、複数の溶媒、複数の界面活性剤等のように、単一種の液体ビヒクル成分を複数存在させることができる。一実施形態では、本明細書に記載するラテックス又はポリマーと共に用いることのできる典型的な液体ビヒクル調合物は、水と、任意に、インクジェット機器に応じて、全体で５ｗｔ％〜３０ｗｔ％存在する１つ以上の共溶媒とを含むことができる。さらに、０．１ｗｔ％〜５ｗｔ％の範囲の、１つ以上の非イオン性、カチオン性、アニオン性、又は両性の界面活性剤（単数又は複数）を含有させることもできる。当該調合物の残部は、純水であるか、又は殺生物剤、粘度修正剤、ｐＨ調節用材料、金属イオン封鎖剤、防腐剤等のような、当分野で周知の他のビヒクル成分とし得る。典型的には、液体ビヒクルは、主として水からなる。
【００３７】
液体ビヒクルに用い得る共溶媒の種類としては、脂肪族アルコール、芳香族アルコール、ジオール、グリコールエーテル、ポリグリコールエーテル、カプロラクタム、ホルムアミド、アセトアミド、及び長鎖アルコールが挙げられる。当該化合物の例としては、第１脂肪族アルコール、第２脂肪族アルコール、１，２−アルコール、１，３−アルコール、１，５−アルコール、エチレングリコールアルキルエーテル、プロピレングリコールアルキルエーテル、ポリエチレングリコールアルキルエーテルの高次の同族体、Ｎ−アルキルカプロラクタム、未置換カプロラクタム、置換及び未置換の両ホルムアミド、置換及び未置換の両アセトアミド等がある。用い得る溶媒の具体例としては、トリメチロールプロパン、２−ピロリジノン、及び１，５−ペンタンジオールがある。
【００３８】
インク調合分野の当業者に周知のように、アルキルポリエチレンオキシド、アルキルフェニルポリエチレンオキシド、ポリエチレンオキシドブロックコポリマー、アセチレン系ポリエチレンオキシド、ポリエチレンオキシド（ジ）エステル、ポリエチレンオキシドアミン、プロトン化ポリエチレンオキシドアミン、プロトン化ポリエチレンオキシドアミド、ジメチコンコポリオール、置換アミンオキシド等の多数の界面活性剤の１つ又は複数を用いることもできる。
【００３９】
本発明の調合に矛盾することなく、他の種々の添加剤を使用して特定の用途に使えるようにインク組成物の諸特性を最適化することができる。これらの添加剤の例は、有害な微生物の成長を阻害するために添加されるものである。これらの添加剤には、インクの調合に日常的に使用されるところの、殺生物剤、殺菌剤、及びその他の微生物剤を用いることができる。適切な微生物剤の例として、限定はしないが、Ｎｕｏｓｅｐｔ（ヌデックス社（Ｎｕｄｅｘ，Ｉｎｃ．））、Ｕｃａｒｃｉｄｅ（ユニオンカーバイド社）、Ｖａｎｃｉｄｅ（Ｒ．Ｔ．ヴァンダービルト社）、Ｐｒｏｘｅｌ（アイシーアイ アメリカ社）、及びそれらの組合せが挙げられる。
【００４０】
ＥＤＴＡ（エチレンジアミン四酢酸）等のような、金属イオン封鎖剤を含有させて、重金属不純物の有害な影響を排除することもでき、緩衝剤溶液を使用してインクのｐＨを制御することもできる。それらは、例えば、０ｗｔ％〜２ｗｔ％にて使用することができる。粘度修正剤及び緩衝剤、並びに当業者に周知のその他の添加剤を含有させることでもまた、インクの諸性質を望ましいように修正することができる。そのような添加剤は、０ｗｔ％〜２０ｗｔ％にて存在させ得る。
【００４１】
サーマルインクジェットシステムは、その噴射特性において圧電式インクジェットシステムとは全く異なっている。従って、圧電式インクジェットシステムにおける使用に有効であるポリマー（定着剤組成物、インクジェットインク組成物、又はポリマーオーバーコート組成物に含有されているものなど）が、サーマルインクジェットインクシステムにおける使用に必ずしも有効であるとは限らない。しかしながら、その逆は必ずしも真ではない。換言すれば、サーマルインクジェットシステムに関してよく機能するポリマーは、圧電式システムに関しても、その逆の場合（圧電式システムにおいてよく機能するポリマーをサーマルシステムに使用する場合）よりは、機能するであろう。即ち、サーマルインクジェットシステムは圧電式システムほど寛容でないので、サーマルインクジェットシステムに用いるポリマーを選択する際には、しばしば、より十分な注意を払う必要がある。従って、定着剤組成物、インクジェットインク組成物、及びアニオン性ポリマーオーバーコート組成物に関して説明した典型的なポリマー及びその他の成分は、それらが圧電式インクジェットインクに対しても同様に機能するとはいえ、サーマルインクジェットインクシステムでの使用に特に適合する。圧電式インクジェットインク印刷システムを用いる場合には、その他の成分も有効に用いることができる。
【００４２】
（実施例）
以下の実施例において、現在最もよく知られている本発明の実施形態を説明する。ここで、以下は、本発明の原理の応用に関し、単に例示又は説明するものに過ぎないことを理解されたい。本発明の趣旨及び範囲から逸脱することなく、多数の修正及び代替の組成物、方法、並びにシステムを、当業者は案出できるであろう。添付の特許請求の範囲は、そのような修正及び変更を網羅するものとする。以上、これまで特定のものに関して本発明を説明してきたが、以下の実施例は、現時点で最も実用的であり且つ好ましい本発明の実施形態と考えられるものに関してさらに詳述するものである。
【実施例１】
【００４３】
ＰＥＩ／Ｃａ２＋定着剤組成物の調製
以下の表１に従って、インクジェット可能なポリエチレンイミン／カルシウムイオンを含有する定着剤組成物を調製した。
【００４４】
【表１】
2005297567.tif 000002
【実施例２】
【００４５】
ポリビグアニド定着剤組成物の調製
以下の表２に従って、インクジェット可能なポリビグアニドを含有する定着剤組成物を調製した。
【００４６】
【表２】
2005297567.tif 000003
【実施例３】
【００４７】
アニオン性の顔料系インクジェットインク組成物の調製
以下の表３に従って、インクジェット可能なアニオン性の顔料系インクジェットインク組成物を調製した。
【００４８】
【表３】
2005297567.tif 000004
【実施例４】
【００４９】
アニオン性ポリマーオーバーコート組成物の調製
以下の表４に従って、インクジェット可能なアニオン性ポリマーオーバーコート組成物を調製した。
【００５０】
【表４】
2005297567.tif 000005
【実施例５】
【００５１】
湿潤時のスマッジ性能
実施例１記載の定着剤組成物をＨａｍｍｅｒｍｉｌｌ  Ｃｏｌｏｒ  Ｃｏｐｙ印刷媒体上に印刷して数本のバーパターンサンプルを得た。次いで、実施例３記載のインクジェットインクを定着剤組成物の各サンプルに関して直に上刷りした。次いで、実施例４記載のアニオン性ポリマーオーバーコート組成物を、インクジェットインクの各サンプル上に直に印刷した。この印刷スキームは、以下の組成物液滴（ドロップ）重量比率に従って履行した。
【００５２】
比率１
定着剤組成物                              １滴
インクジェットインク組成物                ２滴
アニオン性ポリマーオーバーコート組成物    ４滴
【００５３】
比率２
定着剤組成物                              ２滴
インクジェットインク組成物                ４滴
アニオン性ポリマーオーバーコート組成物    ４滴
【００５４】
以下の各スマッジ試験用に、各比率の３つのサンプルを調製した。種々の印刷画像を数分間乾燥させた後、（１）水滴及び指によるスマッジ試験、（２）酸性蛍光ペン（ハイライター）によるスマッジ試験、及び（３）アルカリ性蛍光ペン（ハイライター）によるスマッジ試験を含む、種々のスマッジ試験を実行した。各スマッジ試験に用いた印刷画像の各々は、初期に高い光学濃度（ＯＤ）（例えば、約１．４ＯＤ以上）を有し、各スマッジ試験の実行前には黒色に富んだ画像であった。
【００５５】
詳細には、スマッジ性能は、印刷後にスマッジ跡を生じさせようと、数本の印刷バーを「湿らせてにじみ汚れを生じさせる」ようにして試験した。第１の湿潤スマッジ試験（１）は、印刷したバーパターン画像を４５°の角度に保持して、その画像の上に０．２５ｃｃの水を滴下し、水により形成されたスマッジ跡を観察後、湿った領域を指で汚すことによって実行した。各印刷サンプルに関して、水滴のみによって形成されたスマッジ跡は検出できず、また、水の跡を指を用いて汚そうとした際に生じたスマッジ跡は最小限であった。第２の湿潤スマッジ試験（２）は、酸性ハイライターを用いて印刷画像の各サンプルの上を２回通過させるようにして実行した。目立ったスマッジは何ら検出されなかった。第３の湿潤スマッジ試験（３）は、アルカリ性ハイライターを用いて印刷画像の他の各サンプルの上を２回通過させるようにして実行した。これに関しても、目立ったスマッジは何ら検出されなかった。本実施例では、実施例１記載の定着剤組成物を使用したが、実施例２記載の定着剤組成物を用いた場合にも、同様の結果を得ることができた。
【００５６】
特定の好ましい実施形態を参照して本発明を説明してきたが、本発明の趣旨から逸脱することなく、種々の修正、変更、省略、並びに置換をなし得ることは、当業者には明らかであろう。それ故、本発明は、添付の特許請求の範囲によってのみ限定されるものとする。